(57)【要約】      （修正有）【課題】コードの断線を防止するシャッター障害物感知装置を提供する。【解決手段】建築用シャッターにおける障害物感知用座板スイッチの信号コード吊元にかかる負荷を軽減するため、座板１３に合成樹脂成形品又は金属成形品の保護材１８を具えた保護具１５を取付ける。保護材１８は座板１３への取付け孔内の前後左右にスムーズに動き、スイッチコードにテンションがかかっても、コード９の吊元にかかる負荷を低減し、長期間繰り返し使用しても断線を起こさない。保護材１８は樹脂成形品、金属成形品であって、截頭円錐体、截頭円錐形の小径側に薄形円柱を一体に形成させた変形円錐体、球体または縦断面凸形の薄形円柱等の形態をなし、それらの軸線方向中央にコード通孔を形成させており、シャッター下降時の停止信号を正確に自動開閉機に送信して危害を防止する。  【選択図】図３
0003150911.tif 000002
【実用新案登録請求の範囲】
【請求項１】
建物開口部の左右に立設したガイドレールに案内されて昇降するシャッターカーテンの座板に障害物検知スイッチを設け、前記検知スイッチの障害物検知により開閉機を介してシャッターの下降を停止させるようにした建築用シャッターにおいて、
前記障害物検知スイッチの座板への元付け位置に保護具を設け、該保護具にスイッチコード挿通孔を有する樹脂成形品または金属成形品のコード断線防止用保護材を取り付けたことを特徴とするシャッター障害物感知装置。
【請求項２】
スイッチコード断線防止用保護材は、截頭円錐体、截頭円錐形の小径側に薄形円柱を一体に形成させた変形円錐体、球体または縦断面凸形の薄形円柱等の樹脂成形品または金属成形品のピースまたはカラーであって、これら保護材の軸線方向中央にスイッチコード通し孔が形成され、シャッター昇降時のスイッチコードの巻き上げ、巻き戻しに応じて前記保護具への保護材の取付け位置を前後左右に可動とすることにより、スイッチコードにテンションがかかっても断線が阻止されるようにした請求項１に記載のシャッター障害物感知装置。
【考案の詳細な説明】
【技術分野】
【０００１】
本考案は、コードの断線を防止する保護材を具えたシャッター障害物感知装置ないし危害防止装置に関する。
【背景技術】
【０００２】
建築用シャッターは、シャッター開閉機の駆動スプロケットと従動スプロケットとの間に掛けた無端チェーンの弛みを生じたときには、無端チェーン駆動側に常時弾力的に接するアームの回動変位を検出器で検知すると同時に無端チェーンに噛み合って従動スプロケットの回動を制止することでシャッターカーテンの下降を防止するようにしている。また、無端チェーン駆動側に常時弾力的に接するアームの回動変位を検出器で検知すると同時に無端チェーンに噛み合って従動スプロケットの回動を制止することでシャッターカーテンの下降を防止するようにしているが、防火シャッター・耐火スクリーンなどの防火設備には、上記チェーンの弛み検出装置以外にシャッターへの危害防止機構や障害物検知装置などの設置が義務づけられている。このため、防火シャッター・耐火スクリーンの座板又は下板に感知スイッチを設け、シャッター降下中に座板等が障害物に当たると感知スイッチの感知信号によりシャッター開閉機を駆動してシャッターを降下停止又は上昇させるなどの制御を行って安全を確保している。
さらに、シャッター開閉機の駆動スプロケットと従動スプロケットとの間に掛けた無端チェーンの弛みを生じたときには、無端チェーン駆動側に常時弾力的に接するアームの回動変位を検出器で検知すると同時に無端チェーンに噛み合って従動スプロケットの回動を制止することでシャッターカーテンの下降を防止するようにしている。また、電動シャッターのシャッター下降時に、人や障害物の挟み込みによる事故や、シャッターカーテンの破損を防止するため、カーテン下端の座板にスイッチを設け、座板スイッチにより障害物を感知した際に、無線発信部からシャッター用開閉駆動機の昇降作動を制御する開閉制御部へ検出信号を送信し、シャッターカーテンの下降を停止させている。
【０００３】
このように、無線で下降を停止させるものにおいては、防火シャッター、耐火スクリーンなどの防火設備は、誤作動や整備時の不注意によって利用者の身体・生命に及ぼす危険や損害を与えるおそれがあるため、これらの危害を防止するための装置を備えることが義務付けられている。例えば、シャッターカーテンの座板にスイッチとスイッチコード取付け部材を設け、座板にスイッチオンで危険を検知した時に、自動閉鎖装置を介し開閉機に信号を送ってシャッターを閉鎖するようにしたシャッターの障害物感知装置が提案されている（特許文献１）。また、座板にスイッチと作動レバーとを設けたシャッターの障害物感知装置が提案されている（特許文献２）。
【先行技術文献】
【特許文献】
【０００４】
【特許文献１】特開平１１−２００７４４号公報（第４頁右欄２５から２５行、図４、６、８）。
【特許文献２】特開２０００−９６９５２号公報（第２頁右欄４４行から第３頁左欄２１行、図２）。
【考案の概要】
【考案が解決しようとする課題】
【０００５】
従来の技術では、コードリールのコネクタを保持具に挿入し、その自由端にひと結び、または複数回の結び目を作って危害防止装置のコネクタとジョイントすることで、結び目が保持具の穴からの飛び出しを防止していたため、リール引く出し端においてジョイント部にテンションがかからず外れることがないようにしてある。しかし、コードがコードリールに巻取り、巻き戻し動作を繰り返すとコードの吊元部が短時間で断線する。コード吊元部はコードリールに常に巻かれているため、張力がかかっている。コード吊元部はコードリールに巻かれたり、巻き戻されたりするたびに前後左右に繰り返しの動作（屈曲現象）の影響と同時に張力などの負荷が生じ断線につながる。断線すると障害物感知装置がはたらかない。
結び目が保持具の穴から飛び出すことが無く、ジョイント部にテンションがかからず外れることがないようにすることが望ましい。このため、本考案は、コードリール側に保護材（材質：合成樹脂、プラスチック、アルミ、金属、これらの複合材料等）を通して、保持具内に収め、それがガイドのような役割を果たすことでコードが切断しにくくすると共に、危害防止用検出スイッチ付近のコード吊元にかかる負荷を低減し長期間繰り返し使用しても断線しないコード保護材を提供するものである。
【課題を解決するための手段】
【０００６】
本考案の請求項１は、建物開口部の左右に立設したガイドレールに案内されて昇降するシャッターカーテンの座板に障害物検知スイッチを設け、前記検知スイッチの障害物検知により開閉機を介してシャッターの下降を停止させるようにした建築用シャッターにおいて、前記障害物検知スイッチの座板への元付け位置に保護具を設け、該保護具にスイッチコード挿通孔を有する樹脂成形品または金属成形品のコード断線防止用保護材を取り付けたことを特徴とするシャッター障害物感知装置である。請求項２は、スイッチコード断線防止用保護材は、截頭円錐体、截頭円錐形の小径側に薄形円柱を一体に形成させた変形円錐体、球体または縦断面凸形の薄形円柱等の樹脂成形品または金属成形品のピースまたはカラーであって、これら保護材の軸線方向中央にスイッチコード通し孔が形成され、シャッター昇降時のスイッチコードの巻き上げ、巻き戻しに応じて前記保護具への保護材の取付け位置を前後左右に可動とすることにより、コードにテンションがかかっても断線が阻止されるようにした請求項１に記載のシャッター障害物感知装置である。
【考案の効果】
【０００７】
建物開口部の左右に立設したガイドレールに案内されて昇降するシャッターカーテンの座板に障害物検知スイッチを設け、検知スイッチの障害物検知により開閉機を介してシャッターの下降を停止させるようにした建築用シャッターにおいて、前記障害物検知スイッチの座板への元付け位置に、樹脂成形品または金属成形品のスイッチコード断線防止用の保護材を介置して取り付けたため、シャッター障害物感知装置のスイッチコード断線防止用保護材として有益である。この保護材は、截頭円錐体、截頭円錐形の小径側に薄形円柱を一体に形成させた変形円錐体、球体または縦断面凸形の薄形円柱等の樹脂成形品または金属成形品で、それら保護材の軸線方向中央にスイッチコード通し用スリット又は通し孔を有している。保護材の中央又は側壁の一部にコード通し用のスリットを設けたことにより、コードセット後でも保護具への嵌め込みが容易であって、障害物検知スイッチＯＮでシャッターを巻き上げ、ＯＦＦでシャッターを巻き上げる際に、障害物感知装置のコードの断線を防止することができる。
【図面の簡単な説明】
【０００８】
【図１】本考案シャッター障害物感知装置を備えたシャッター装置の一部破断斜視図である。
【図２】図１の拡大縦断側面図である。
【図３】障害物感知装置の拡大側面図である。
【図４】障害物感知装置の変形例の拡大側面図である。
【図５】（ａ）〜（ｄ）は障害物感知装置のコード保護材の拡大正面図である。
【考案を実施するための形態】
【０００９】
建物開口部の左右に立設したガイドレールに案内されて昇降するシャッターカーテンの座板に障害物検知スイッチを設け、前記検知スイッチの障害物検知により開閉機を介してシャッターの下降を停止させるようにした建築用シャッターにおいて、前記障害物検知スイッチの座板への元付け位置に保護具を設け、該保護具にスイッチコード挿通孔を有する樹脂成形品または金属成形品のコード断線防止用保護材を取り付けたことを特徴とするシャッター障害物感知装置である。
請求項２は、スイッチコード断線防止用保護材は、截頭円錐体、截頭円錐形の小径側に薄形円柱を一体に形成させた変形円錐体、球体または縦断面凸形の薄形円柱等の樹脂成形品または金属成形品のピースまたはカラーであって、これら保護材の軸線方向中央にスイッチコード通し孔が形成され、シャッター昇降時のスイッチコードの巻き上げ、巻き戻しに応じて前記保護具への保護材の取付け位置を前後左右に可動とすることにより、コードにテンションがかかっても断線が阻止されるようにした請求項１に記載のシャッター障害物感知装置である。
【００１０】
この考案は、図１〜４に示すように、建築用シャッターにおける障害物感知用座板スイッチの信号コード吊元にかかる負荷を軽減するため、座板１３に合成樹脂成形品又は金属成形品の保護材１８を具えた保護具１５を取付ける。保護材１８は座板１３への取付け孔内の前後左右にスムーズに動き、スイッチコード９にテンションがかかっても、コード９の吊元にかかる負荷を低減し、長期間繰り返し使用しても断線を起こさないコード保護材１８を提供する。保護材１８は樹脂成形品、金属成形品であって、截頭円錐体（ａ）、截頭円錐形の小径側に薄形円柱を一体に形成させた変形円錐体（ｂ）、球体（ｃ）または縦断面凸形の薄形円柱（ｄ）等の形態をなし、それらの軸線方向中央にコード通孔（ｅ）を形成させており、シャッター下降時の停止信号を正確に自動開閉機に送信して危害を防止する。
【００１１】
建築用シャッターの電動開閉機４の駆動スプロケットと従動スプロケットとの間に掛けた無端チェーンに弛みを生じたとき、無端チェーン駆動側に常時弾力的に接するアームの回動変位を検出器で検知すると同時に無端チェーンに噛み合って従動スプロケットの回動を制止することでシャッターカーテンの下降を防止する。また、電動シャッターのスラットの下降時に、人や障害物の挟み込みによる事故や、スラットの破損を防止するため、座板に障害物感知用のスイッチを設け、該座板スイッチにより障害物を感知した際に、無線発信部（図示省略）を介してシャッター用開閉駆動機（電動式手動開閉装置）の昇降作動を制御する開閉制御部へ検出信号を送信し、シャッターの下降を停止させる。
前記障害物感知スイッチの保護材１８は、図５について後述するように、截頭円錐体（ａ）、截頭円錐形の小径側に薄形円柱を一体に形成させた変形円錐体（ｂ）、球体（ｃ）または縦断面逆Ｔ形の薄形円柱（ｄ）等の樹脂成形品、金属成形品で、それら保護材の軸線方向中央にコード通孔（ｅ）を形成させている。
【００１２】
シャッター開閉機の駆動スプロケットと従動スプロケットとの間に掛けた無端チェーン（図示省略）に弛みを生じたときに、無端チェーン駆動側に常時弾力的に接するアームの回動変位を検出器で検知すると同時に無端チェーンに噛み合って従動スプロケットの回動を制止することでシャッターカーテンの下降を防止するようにしている。また、電動シャッターのシャッター下降時に、人や障害物の挟み込みによる事故や、シャッターカーテンの破損を防止するため、カーテン下端の座板にスイッチを設け、座板スイッチにより障害物を感知した際に、無線発信部(図示省略)からシャッター用開閉駆動機の昇降作動を制御する開閉制御部へ検出信号を送信し、シャッターカーテンの下降を停止させている。シャッターは障害物感知装置（センサ）オンの信号で上昇し、センサオフでも外部の押しボタンではシャッターは下降しない。なお、前記シャッターは防火シャッターに限定されない。保護材（カラー）１５は、保護具１６の取付部内の前後左右にスムーズに動くため、コード９にテンションがかかっても断線が防止される。なお、座板に座板スイッチ１４があることを図２で示した。
【００１３】
図２は障害物感知スイッチの保護材の拡大断面図、図３は障害物感知装置の拡大側面図、図４はスイッチの保護材の例を示す拡大断面図である。
防火シャッター・耐火シャッターなどの防火設備には、シャッター閉鎖域に障害物を検出した時にシャッター降下を停止させる危害防止機構の設置が義務付けられている。このため、座板スイッチ１４による障害物感知信号をシャッターの自動開閉装置１１に伝えるメインコード９の検出センサ側を保持するため、保護材またはピース１８を遊動自在に支持した保護具１５を使用する。また、保護材１８の中央に形成された通し孔１９に挿入されたコード９は、通し孔１９に沿って移動自在とされているため、コード９にテンションがかかっても保護材１７にガイドされたコード９は、伸びや変形が吸収される。このように、保護材１８はコード９の伸びや前後左右の変動に追従して保護具１５に対しスムーズに動くことができるため、テンションがかかっても断線が防止される。
【００１４】
この保護材またはカラー１８は、図５a ないし図５ｄに拡大して示すように、截頭円錐体１８a、截頭円錐形の小径側に薄形円柱を一体に形成させた変形円錐体１８b、球体１８cまたは縦断面凸形の薄形円柱１８ｄ等の形状を有する樹脂成形品または金属成形品で、これら保護材１８の軸線方向中央にスイッチコード通し孔又は通し用スリット１９を設ける。保護具１５の中央又は側壁の一部にあけたコード通し用スリット又は通し孔１９の内側に保護材１８が挿入されているため、コードセット後でも保護具１６への嵌め込みが容易であり、且つスイッチコードがコードリール側に引っ張られても抜け出すおそれがなく、セット後でもコード通しができる。座板または下端近くのスラットに取付けた傷害物検知スイッチ（座板スイッチ）ＯＮでシャッターを巻き上げ、ＯＦＦでシャッターを巻き上げる際に、保護材（カラー）１８が保持具１５の穴１６内に前後左右にスムーズに動くため、障害物感知装置のコード９テンションがかかっても断線を防止することができる。
【００１５】
図５（ａ）〜（ｄ）は各種保護材の拡大正面図である。保護材は樹脂成形品、金属成形品であって、截頭円錐形の小径側に薄形円柱を一体に形成させた変形円錐体（ａ）、截頭円錐体（ｂ）、球体（ｃ）または縦断面凸形の薄形円柱（ｄ）等の形態を有し、それらの各軸線方向中央にコード通し孔１８を形成させている。
保持具１５は、保護材またはカラー１２に対し、前後左右にスムーズに動くことができ、かつ保護具１５の通し孔１６に挿入されたコード９は通し孔１６に沿って移動自在とされているため、コードにテンションがかかっても障害物感知部材であるピースまたは保護材１７にガイドされたコード９に伸びや変形を生じたときには、保護材１８に対して保護具１５が僅かに移動、転動することによってコードの伸びや前後左右の微動に追従してスムーズに動くため断線が防止される。
【００１６】
上記保護材１８は、截頭円錐体、截頭円錐形の小径側に薄形円柱を一体に形成させた変形円錐体、球体または縦断面凸形の薄形円柱等の樹脂成形品または金属成形品で、それら保護材の軸線方向中央にスイッチコード通し用スリット又は通し孔１９を有している。保護材の中央又は側壁の一部にコード通し用のスリットを設けたことにより、コードセット後でも保護具への嵌め込みが容易であって、傷害物検知スイッチＯＮでシャッターを巻き上げ、ＯＦＦでシャッターを巻き上げる際に、障害物感知装置のコードの断線を防止することができる。上記事項を要約すると下記の通りとなる。
イ．保持具（カラー）１６；前後左右にスムーズに動く、テンションがかかってもコードの断線が防止される。
ロ．保護材（ピース）１８：樹脂成形品、金属成形品製で保護材の一部にコード通し用の孔又はスリット１９を設ける。セット後でもコード通しができる。  
【００１７】
図５は障害物感知装置のコード保護材の変形例の拡大正面図である。すなわち、保持具１５に孔１６をあけて保護材１８を挿入するする。この保護材は截頭円錐形の小径側に薄形円柱を一体に形成させた変形円錐体１８ａ、截頭円錐体１８ｂ、球体１８ｃまたは縦断面凸形の薄形円柱１８ｄ等の形態を有し、それらの軸線方向中央にコード通し孔またはスリット１９を形成させている。これらの保護材は樹脂成形品または金属成形品で、図示のように、保持具又はカラー内で前後左右にスムーズに動く。コードにテンションがかかっても断線が防止される。
【産業上の利用可能性】
【００１８】
上記のように、本考案は、シャッター障害物感知装置のコードの断線を防止する保護材としたものであるから、コードの吊元にかかる負荷を低減することにより長期間繰り返し使用しても断線しないコード保護材として有益なものである。防火シャッターに限定されず通常のシャッターに広く適用可能である。
【符号の説明】
【００１９】
１  シャッター装置                    ２  まぐさ    
３  軸受けブラケット                  ４  電動開閉機
５  スラット                          ６  巻軸  
７  ガイドレール                      ８  電動式手動閉鎖装置
９  メインコード                      １０  防止用連動中継機    
１１  自動開閉装置                    １２  コードリ−ル    
１３  座板                            １４  座板スイッチ  
１５  保護具（カラ−）                １６  保護材保持穴  
１８  保護材（ピース）                １８ａ  変形円錐体
１８ｂ  截頭円錐体                    １８ｃ  球体  
１８ｄ  縦断面凸形の薄形円柱          １９  コード通し孔
【図１】
0003150911.tif 000003
【図２】
0003150911.tif 000004
【図３】
0003150911.tif 000005
【図４】
0003150911.tif 000006
【図５】
0003150911.tif 000007